(57)【要約】【課題】動作に伴う靴底の滑りを効果的に抑制しうる靴の提供。【解決手段】ミッドソール１０と、アウトソールと、複数のスパイクピンとを備える靴である。アウトソール１０には、スパイクピンを取り付ける為の台座部材が設けらている。ミッドソール１０は、高硬度部２０と低硬度部１８とを有する。台座部材の上方に存在するミッドソール１０の一部であって台座部材の外輪郭線により区画される部分が台座上ミッド部である。この台座上ミッド部のうちミッドソールの外縁に近い側が近接側ミッド部である。この台座上ミッド部のうちミッドソールの外縁から遠い側が離間側ミッド部である。本発明の靴は、少なくとも１つの台座部材に関し、近接側ミッド部における低硬度体積率Ｖｎが、離間側ミッド部における低硬度体積率Ｖｆよりも小さくされている。【選択図】図５
2008131998.tif 000002
【特許請求の範囲】
【請求項１】
ミッドソールと、アウトソールと、複数のスパイクピンとを備え、
上記アウトソールには、上記スパイクピンを取り付ける為の台座部材が設けられ、
上記ミッドソールは、高硬度部と低硬度部とを有し、
上記台座部材の上方に存在する上記ミッドソールの一部であって上記台座部材の外輪郭線により区画される部分が台座上ミッド部とされ、この台座上ミッド部のうちミッドソールの外縁に近い側が近接側ミッド部とされ、この台座上ミッド部のうちミッドソールの外縁から遠い側が離間側ミッド部とされたとき、
少なくとも１つの台座部材に関し、近接側ミッド部における低硬度体積率Ｖｎは、離間側ミッド部における低硬度体積率Ｖｆよりも小さい靴。
【請求項２】
複数の台座部材のうちの５０％以上の台座部材に関し、近接側ミッド部における低硬度体積率Ｖｎが、離間側ミッド部における低硬度体積率Ｖｆよりも小さい請求項１に記載の靴。
【請求項３】
上記ミッドソールの輪郭内に画かれうる最長の線分が長さ線とされ、この長さ線方向において６等分されたミッドソールの各領域が、つま先側から踵側に向かって順に第一領域、第二領域、・・・、第五領域及び第六領域とされたとき、
取り付けられるスパイクピンの面積重心が第二領域に位置する台座部材に関し、近接側ミッド部における低硬度体積率Ｖｎが、離間側ミッド部における低硬度体積率Ｖｆよりも小さい請求項１に記載の靴。
【請求項４】
上記低硬度部の硬度ＨＬの高硬度部の硬度ＨＨに対する比（ＨＬ／ＨＨ）が、０．２０以上０．９０以下である請求項１から３に記載の靴。
【発明の詳細な説明】
【技術分野】
【０００１】
本発明は、ゴルフ、テニス、スカッシュ、フィールドホッケー、バスケットボール、エアロビクス体操等に適した靴に関する。
【背景技術】
【０００２】
靴は、アウトソール、ミッドソール、インソール、アッパー等から構成されている。ミッドソールは、気泡を含むポリマー成形体からなる。通常のミッドソールには、基材ポリマーとして、エチレン−酢酸ビニル共重合体（ＥＶＡ）が用いられている。ミッドソールは、衝撃吸収性に寄与する。特開平６−１４１９０４号公報は、ミッドソールに衝撃減衰部材が装着された靴を開示する。
【０００３】
一方、グリップ性や安定性を確保するため、鋲を有する靴が知られている。鋲の材質として、金属、セラミック、合成樹脂等が知られている。特開２０００−１８９２１１公報には、摩耗状態の確認が容易なゴルフシューズ用鋲及びこれを備えたゴルフシューズが開示されている。
【特許文献１】特開平６−１４１９０４号公報
【特許文献２】特開２０００−１８９２１１公報
【発明の開示】
【発明が解決しようとする課題】
【０００４】
ゴルファーがゴルフボールを打撃する際は、左右の足先を結ぶ線が目標方向とほぼ平行となるようにアドレスする。アドレスでは、ゴルフクラブのヘッドはゴルフボールの近くに位置する。右利きゴルファーの場合、ゴルファーは、アドレスの状態からテイクバックを開始し、ヘッドを右へ、次いで上へと振り上げる。最もヘッドが振り上げられた位置は、トップ位置と称される。トップ位置からダウンスイングが開始されてヘッドが振り下ろされ、ヘッドがゴルフボールと衝突する。衝突後、ゴルファーはゴルフクラブを左へ、次いで上へと振り抜き、フィニッシュを迎える。
【０００５】
トップ位置からフィニッシュにかけて、ゴルファーはボディターンを行う。ボディターンに伴い、足も体と共に回転しようとする。ボディターンにより、足を滑らせうる力が働く。ゴルファーは、自己の腕及びゴルフクラブを振る。スイング中、腕及びゴルフクラブには遠心力が作用する。この遠心力により、足を滑らせうる力が働く。右利きのゴルファーは、左足を軸足として使い、右足を蹴足として使う。左利きゴルファーの場合は、右足を軸足として使い、左足を蹴足として使う。軸足及び蹴足が滑ると、スイングが乱れる。滑りにくい靴は、スイングを安定させる。スイングに適した靴が望まれている。
【０００６】
他のスポーツにおいても、靴底を滑らせうる力が働く。テニス及びスカッシュでは、ラケットをスイングするときに、靴底の滑りが生じやすい。フィールドホッケーでは、スティックをスイングするときに、靴底の滑りが生じやすい。バスケットボール及びエアロビクス体操では、左右反転動作のとき等に、靴底の滑りが生じやすい。これらのスポーツにおいても、動作に適した靴が望まれている。
【０００７】
本発明の目的は、動作に伴う靴底の滑りを効果的に抑制しうる靴の提供にある。
【課題を解決するための手段】
【０００８】
本発明に係る靴は、ミッドソールと、アウトソールと、複数のスパイクピンとを備える。上記アウトソールには、上記スパイクピンを取り付ける為の台座部材が設けられている。上記ミッドソールは、高硬度部と低硬度部とを有する。上記台座部材の上方に存在する上記ミッドソールの一部であって上記台座部材の外輪郭線により区画される部分が台座上ミッド部とされ、この台座上ミッド部のうちミッドソールの外縁に近い側が近接側ミッド部とされ、この台座上ミッド部のうちミッドソールの外縁から遠い側が離間側ミッド部とされたとき、少なくとも１つの台座部材に関し、近接側ミッド部における低硬度体積率Ｖｎは、離間側ミッド部における低硬度体積率Ｖｆよりも小さい。
【０００９】
好ましくは、複数の台座部材のうちの５０％以上の台座部材に関し、近接側ミッド部における低硬度体積率Ｖｎが、離間側ミッド部における低硬度体積率Ｖｆよりも小さい。
【００１０】
好ましくは、上記ミッドソールの輪郭内に画かれうる最長の線分が長さ線とされ、この長さ線方向において６等分されたミッドソールの各領域が、つま先側から踵側に向かって順に第一領域、第二領域、・・・、第五領域及び第六領域とされたとき、取り付けられるスパイクピンの面積重心が第二領域に位置する台座部材に関し、近接側ミッド部における低硬度体積率Ｖｎは、離間側ミッド部における低硬度体積率Ｖｆよりも小さい。
【００１１】
好ましくは、上記低硬度部の硬度ＨＬの高硬度部の硬度ＨＨに対する比（ＨＬ／ＨＨ）は、０．２０以上０．９０以下である請求項１から３に記載の靴。
【発明の効果】
【００１２】
低硬度体積率Ｖｎが低硬度体積率Ｖｆよりも小さくされることにより、スパイクピンが倒れにくくなり、靴の滑りが効果的に抑制されうる。
【発明を実施するための最良の形態】
【００１３】
以下、適宜図面が参照されつつ、好ましい実施形態に基づいて本発明が詳細に説明される。なお、以下の説明において、下側とは接地面側を意味し、上側とはアッパー側を意味する。
【００１４】
図１は、本発明の一実施形態に係るゴルフ靴２が示された一部切り欠き側面図である。このゴルフ靴２は、アッパー４及び底部６を備えている。底部６は、インソール８、ミッドソール１０及びアウトソール１２からなる。インソール８は、ミッドソール１０と積層されている。ミッドソール１０は、アウトソール１２と積層されている。アウトソール１２は、その下面に、下方に向けて突出する多数の突起１４を備えている。アッパー４の材質及び構造は、既知のアッパーのそれと同等である。インソール８の材質及び構造は、既知のインソールのそれと同等である。アウトソール１２の材質及び構造は、既知のアウトソールのそれと同等である。アウトソール１２は、単層構造である。
【００１５】
なお、アウトソール１２は、多層構造でもよい。例えば、下層及び上層の２層構造よりなるアウトソールでもよい。この場合、例えば、下層から延びる突起と、上層から延びる突起とを有し、上層から延びる突起は、下層に設けられた貫通孔を通って下側に露出しているアウトソールでもよい。このアウトソールにおいて、下層及びそこから延びる突起が加硫ゴムよりなり、上層及びそこから延びる突起が樹脂よりなっていてもよい。この樹脂として、熱可塑性ウレタンが例示される。
【００１６】
ミッドソール１０は、気泡を含むポリマー成形体からなる。ミッドソール１０の典型的な基材ポリマーは、ＥＶＡである。ＥＶＡにおける酢酸ビニル含有量は、１０質量％以上が好ましく、１５質量％以上がより好ましい。ＥＶＡにおける酢酸ビニル含有量は、４０質量％以下が好ましく、３０質量％以下がより好ましく、２５質量％以下が特に好ましい。ミッドソールの基材ポリマーとして、ＥＶＡとポリオレフィンとが併用されることが好ましい。ポリオレフィンは、衝撃吸収性及び反発性に寄与しうる。この観点から、基材ポリマーの全量に対するポリオレフィンの量は５質量％以上が好ましく、１０質量％以上がより好ましい。コスト及び接着性の観点から、ポリオレフィンの量は８０質量％以下が好ましく、７０質量％以下がより好ましく、１５質量％以下が特に好ましい。好ましいポリオレフィンとしては、エチレン−オクテン共重合体、エチレン−ブテン共重合体、ポリプロピレン及びポリエチレンが例示される。
【００１７】
ミッドソール１０が、独立気泡を含んでもよく、連続気泡を含んでもよい。形状復元力及び非吸水性の観点から、独立気泡が好ましい。気泡は、通常は熱分解型発泡剤の発泡によって形成される。用いられる熱分解型発泡剤としては、アゾ化合物（例えばアゾジカルボンアミド）、ニトロソ化合物（例えばジニトロソペンタメチレンテトラミン）及びトリアゾール化合物が例示される。ミッドソール１０の発泡倍率（気泡が存在する場合の密度に対する気泡が存在しない場合の密度の比）は、２倍以上が好ましく３倍以上がより好ましい。発泡倍率は、３０倍以下が好ましく、１５倍以下がより好ましく、１０倍以下が特に好ましい。
【００１８】
図２は、ゴルフ靴２の底部６を接地面側から見た平面図である。図２は、アウトソール１２を接地面側から見た平面図でもある。アウトソール１２の下面は、接地面である。図２では、突起１４の記載が省略されている。このゴルフ靴２は、左足用である。右足用の底部６の形状は、図２に示された形状が左右反転した形状である。
【００１９】
図２が示すように、アウトソール１２には、スパイクピンを取り付ける為の台座部材１６が設けられている。台座部材１６は、複数である。具体的には、台座部材１６は、８個である。台座部材１６に、スパイクピン１７が取り付けられる。図２及び本願の各図は、スパイクピン１７が取り外された状態を示している。スパイクピン１７は、全ての台座部材１６に取り付けられる。スパイクピン１７は、台座部材１６に締結される。スパイクピン１７は、例えば合成樹脂等からなる。ゴルフ靴２を使用する際には、スパイクピンが取り付けられる。図２では、１つの台座部材１６に関してのみ、取り付けられたスパイクピン１７を仮想線で示している。１つの台座部材１６に、１つのスパイクピンが取り付けられる。
【００２０】
以下の説明を容易とするため、８つの台座部材１６が配置された位置のそれぞれが、第一位置Ｎ１、第二位置Ｎ２、第三位置Ｎ３、・・・、第七位置Ｎ７及び第八位置Ｎ８とされる（図２参照）。１つの台座部材１６に、１つのスパイクピン１７が取り付けられる。スパイクピン１７の数は、台座部材１６の数と同じである。台座部材１６及びスパイクピン１７は、複数の位置に配置されている。なお、スパイクピンの数は、通常、５個以上１０個以下程度とされる。
【００２１】
図３は、アウトソール１２の上面を示す平面図である。図４は、ミッドソール１０の下面を示す平面図である。図５は、ミッドソール１０の上面を示す平面図である。ミッドソール１０及びアウトソール１２は、左足用である。右足用のミッドソール１０及びアウトソール１２の形状は、図３から図５に示された形状が左右反転した形状である。図６は、図２のVI−VI線に沿った拡大断面図である。図６では、ミッドソール１０、アウトソール１２及び台座部材１６が示されており、他の部分の記載が省略されている。図６では、突起１４の記載が省略されている。図６において、左側がインサイドであり、右側がアウトサイドである。
【００２２】
ミッドソール１０は、低硬度部１８と高硬度部２０とを有する。低硬度部１８の硬度は、高硬度部２０の硬度よりも小さい。低硬度部１８の弾性率は、高硬度部２０の弾性率よりも小さい。ミッドソール１０に圧縮荷重が加わったとき、低硬度部１８は高硬度部２０よりも変形しやすい。低硬度部１８が、互いの硬度が異なる２以上の部位からなってもよい。高硬度部２０が、互いの硬度が異なる２以上の部位からなってもよい。
【００２３】
本実施形態のミッドソール１０は、低硬度部１８と高硬度部２０とからなる。ミッドソール１０において、低硬度部１８以外の部分が、高硬度部２０である。
【００２４】
図３が示すように、アウトソール１２の上面には、突出部２１が設けられている。突出部２１の輪郭は、円形である。図６が示すように、突出部２１の内部には、台座部材１６が埋設されている。図３及び図６が示すように、アウトソール１２は、貫通孔２３を有している。この貫通孔２３は、突出部２１の中央に位置する。図６が示すように、この貫通孔２３は、台座部材１６により下方から塞がれている。突出部２１により、アウトソール１２の重量を抑えつつ、台座部材１６がアウトソール１２に確実に取り付けられる。
【００２５】
図４が示すように、ミッドソール１０の下面には、凹部２５が設けられている。この凹部２５は、前述したアウトソール１２の突出部２１に対応して設けられている。凹部２５は、突出部２１と同数設けられている。図６が示すように、凹部２５の内部に突出部２１が挿入されている。凹部２５により、アウトソール１２とミッドソール１０との合計厚みが抑制され、ゴルフ靴２が軽量化されうる。
【００２６】
図４及び図５が示すように、低硬度部１８は、矩形である。低硬度部１８は、台座部材１６と同数設けられている。１つの台座部材１６の上方に、１つの低硬度部１８が設けられている。低硬度部１８の形状及び個数は、特に限定されない。１つの低硬度部１８が、複数の台座部材１６の上方に延在していてもよい。
【００２７】
図５が示すように、低硬度部１８は、ミッドソール１０の上面側に露出している。図４が示すように、低硬度部１８は、ミッドソール１０の下面側には露出していない。低硬度部１８が、ミッドソール１０を貫通していてもよい。
【００２８】
図６が示すように、低硬度部１８の厚みは、一定である。低硬度部１８の下面と高硬度部２０の上面との境界ｋ１は、接地面に対して略水平である。なお、低硬度部１８の厚みが変化していてもよい。境界ｋ１が水平方向に対して傾斜した傾斜面であってもよい。例えば、境界ｋ１は、インサイドからアウトサイドに向かって上向きに傾斜していてもよい。高硬度部２０の厚みは、境界ｋ１に沿ってインサイドからアウトサイドに向かって徐々に大きくなっていてもよい。低硬度部１８の厚みは、境界ｋ１に沿ってインサイドからアウトサイドに向かって徐々に小さくなっていてもよい。
【００２９】
図６が示すように、台座部材１６は、ネジ穴２２と、外縁２４とを有する。ネジ穴２２は、雌ネジである。ネジ穴２２は、ネジ山２６を有する。ネジ山２６は、螺旋状である。図示されないスパイクピンの雄ネジをネジ穴２２にねじ込むことにより、スパイクピンが台座部材１６に取り付けられる。スパイクピンは、着脱可能である。外縁２４は、アウトソール１２の内部に埋め込まれている。
【００３０】
本発明では、台座上ミッド部２８が定義される。台座上ミッド部２８は、ミッドソール１０の一部である。台座上ミッド部２８は、ミッドソール１０のうち、台座部材１６の上方に存在する部分である。台座上ミッド部２８は、台座部材１６の外輪郭線３０（図６参照）により区画される。より詳細には、靴を接地面を下にして水平面ｈ上に静置した基準状態において、上記水平面ｈに対して垂直な方向に外輪郭線３０を投影したとき、この投影像の集合である区画面３１の内側部分が、台座上ミッド部２８である。区画面３１は、図６及び図７において一点鎖線で示される。図７は、図６の断面図のうちの台座上ミッド部２８のみを抽出して記載した断面図である。
【００３１】
台座部材１６の外輪郭線３０は、外縁２４により形成される。本実施形態では、外輪郭線３０は、円形である。本実施形態において、台座上ミッド部２８は、円盤状である。外輪郭線３０の形状は、特に限定されない。
【００３２】
本発明では、近接側ミッド部３２及び離間側ミッド部３４が定義される。台座上ミッド部２８は、近接側ミッド部３２と離間側ミッド部３４とに区画される。近接側ミッド部３２は、台座上ミッド部２８の一部である。離間側ミッド部３４は、台座上ミッド部２８の一部である。
【００３３】
近接側ミッド部３２と離間側ミッド部３４とを区画する区画面ｐの定義は、次の通りである。図８は、図４と同様に、ミッドソール１０を下面から見た図である。ただし、見やすい図とするため、図８では、凹部２５を示す線の記載が省略されている。図８においてＡで示されるのは、長さ線である。長さ線Ａは、ミッドソール１０の輪郭内に画かれうる最長の線分である。図８において長さ線Ａは、二点鎖線で示されている。図８においてｃ１で示されるのは、スパイクピンの面積重心である。上記基準状態において、スパイクピンの外輪郭線（図示されない）を水平面ｈに投影した投影像の面積重心が、面積重心ｃ１である。上記基準状態において、面積重心ｃ１を通り、長さ線Ａに対して平行で、且つ水平面ｈに対して垂直な平面が、区画面ｐである。本実施形態では、８つの区画面ｐが定まる。図８では、８つの区画面ｐのうち、２つの区画面ｐが示されている。
【００３４】
台座上ミッド部２８は、区画面ｐにより、近接側ミッド部３２と離間側ミッド部３４とに区画される。図８では、８つの台座上ミッド部２８のうち、２つの台座上ミッド部２８が、ハッチングで示されている。図８において、近接側ミッド部３２と離間側ミッド部３４とは、互いに異なるハッチングで示されている。図８においてｚで示されるのは、補助線である。補助線ｚは、長さ線Ａに垂直で且つ面積重心ｃ１を通る直線である。図８の平面視において、ミッドソール１０の輪郭線と補助線ｚとの交点が、ｔ１及びｔ２である。面積重心ｃ１からの距離が近い方の交点が近接交点ｔ１であり、面積重心ｃ１からの距離が遠い方の交点が離間交点ｔ２である。区画面ｐにより区画された２つの部分のうち、近接交点ｔ１側の部分が、近接側ミッド部３２である。区画面ｐにより区画された２つの部分のうち、離間交点ｔ２側の部分が、離間側ミッド部３４である。
【００３５】
ミッドソール１０では、すべての台座部材１６に関し、近接側ミッド部３２における低硬度体積率Ｖｎは、離間側ミッド部３４における低硬度体積率Ｖｆよりも小さい。換言すれば、全ての台座部材１６に関し、Ｖｆ＞Ｖｎである。低硬度体積率Ｖｆは、離間側ミッド部３４の全体積のうち、低硬度部１８の体積が占める割合（％）である。低硬度体積率Ｖｎは、近接側ミッド部３２の全体積のうち、低硬度部１８の体積が占める割合（％）である。
【００３６】
Ｖｆ＞Ｖｎとされることにより、スパイクピン（スパイクピンの鉛直方向の軸線）が、靴底の外縁側に向かって倒れにくくなる。これにより、使用者の動作に起因する靴底の滑りが効果的に抑制される。滑りが抑制されることにより、踏ん張り力が向上し、ゴルフスイング等の動作が安定化しうる。滑りが抑制さえることにより、ゴルファーは力を地面に伝えやすい。このゴルフ靴２は、大きなヘッドスピードに寄与する。大きなヘッドスピードは、大きな飛距離を生む。
【００３７】
Ｖｆ＞Ｖｎとされたスパイクピンが異なる位置に複数設けられることにより、複数方向における滑りが効果的に抑制される。例えば、図２の実施形態において、インサイドへの滑りを抑制することについて寄与度が高いスパイクピンは、比較的アウトサイドに位置するスパイクピン（例えば位置Ｎ３、位置Ｎ５及び位置Ｎ７のスパイクピン）である。アウトサイドへの滑りを抑制することについて寄与度が高いスパイクピンは、比較的インサイドに位置するスパイクピン（例えば位置Ｎ２、位置Ｎ４および位置Ｎ６のスパイクピン）である。
【００３８】
滑りを抑制する上記効果を高める観点から、差（Ｖｆ−Ｖｎ）は、１０％以上が好ましく、３０％以上がより好ましく、５０％以上が特に好ましい。
【００３９】
図６が示すように、高硬度部２０は、台座部材１６の上方に存在している。台座部材１６の上方に存在する高硬度部２０により、スパイクピンの突き上げが抑制され、履き心地が良好となる。台座部材１６の上方に存在する高硬度部２０により、台座部材１６の安定性が高まり、スパイクピンの安定性が高まる。図６が示すように、高硬度部２０は、台座上ミッド部２８の全域に設けられている。高硬度部２０は、台座上ミッド部２８の下面全体を覆っている。これにより、ベース１６の安定性が高まり、スパイクピンの安定性が高まる。
【００４０】
本実施形態では、全ての台座部材１６に関し、Ｖｆ＞Ｖｎとされている。本発明では、少なくとも１つの台座部材１６に関し、Ｖｆ＞Ｖｎとされていればよい。好ましくは、台座部材１６の全個数をＸとし、その上方の台座上ミッド部２８においてＶｆ＞Ｖｎとされている台座部材１６の個数をＹとしたとき、Ｘ個中におけるＹ個の割合α（％）は、１０％以上が好ましく、３０％以上がより好ましく、５０％以上が特に好ましい。上記実施形態では、Ｘが８個であり、Ｙも８個であり、割合αは１００％である。
【００４１】
図９は、図４と同様に、ミッドソール１０を下面から見た図である。ただし、見やすい図とするため、図９では、凹部２５を示す線の記載が省略されている。図９が示すように、長さ線Ａ方向において６等分されたミッドソールの各領域が、つま先側から踵側に向かって順に第一領域Ｒ１、第二領域Ｒ２、・・・、第五領域Ｒ５及び第六領域Ｒ６とされる。本発明の好ましい形態は、取り付けられるスパイクピンの面積重心ｃ１が第二領域Ｒ２に位置する台座部材１６に関し、Ｖｆ＞Ｖｎとされる。即ち、本実施形態のミッドソール１０で言えば、位置Ｎ２及び位置Ｎ３に位置する台座部材１６に関し、Ｖｆ＞Ｖｎとされているのが好ましい。面積重心ｃ１が第二領域Ｒ２に位置するスパイクピンは、横方向（インサイド又はアウトサイド）における滑りを効果的に抑制しうる。特に、面積重心ｃ１が第二領域Ｒ２に位置するスパイクピンは、ゴルフスイングの安定化に対する寄与度が大きい。
【００４２】
低硬度部１８の硬度ＨＬの、高硬度部２０の硬度ＨＨに対する比（ＨＬ／ＨＨ）は、０．２０以上０．９０以下が好ましい。比（ＨＬ／ＨＨ）が０．２０以上に設定されることにより、硬度の急激な変化が抑制される。この観点から、比（ＨＬ／ＨＨ）は０．３０以上がより好ましく、０．４０以上が特に好ましい。比（ＨＬ／ＨＨ）が０．９０以下に設定されることにより、前述した滑り抑制効果が向上しうる。この観点から、比（ＨＬ／ＨＨ）は０．８５以下がより好ましく、０．８０以下が特に好ましい。低硬度部１８の硬度ＨＬは、２０以上７０以下が好ましい。高硬度部２０の硬度ＨＨは、４０以上８５以下が好ましい。硬度は、日本ゴム協会標準規格に準拠して、高分子計器株式会社のアスカーＣ型硬度計にて測定される。
【００４３】
高硬度部２０の発泡倍率よりも大きな発泡倍率が低硬度部１８に適用されることにより、硬度の相違が達成されうる。高硬度部２０の基材ポリマーとは異なる基材ポリマーが低硬度部１８に用いられることにより、硬度の相違が達成されうる。高硬度部２０における添加剤の量とは異なる量の添加剤が低硬度部１８に添加されることにより、硬度の相違が達成されうる。高硬度部２０の添加剤とは異なる添加剤が低硬度部１８に配合されることにより、硬度の相違が達成されうる。
【００４４】
図６において両矢印Ｔ１で示されているのは、台座上ミッド部２８におけるミッドソール１０の厚みである。ミッドソール１０の強度を高めるとともに、台座部材１６を安定化する観点から、厚みＴ１は、２ｍｍ以上、さらには５ｍｍ以上が好ましい。ミッドソール１０の重量を抑える観点から、厚みＴ１は、２５ｍｍ以下、さらには２０ｍｍ以下、さらには１５ｍｍ以下が好ましい。
【００４５】
ミッドソール１０の下面３６（図７参照）に低硬度部１８と高硬度部２０との境界線が存在すると、この境界線が亀裂等の損傷の原因となることがある。ミッドソール１０の耐久性の観点から、境界線が下面３６に存在しないことが好ましい。換言すれば、低硬度部１８が下面３６に露出しないことが好ましい。
【００４６】
ゴルフ靴２は、公知の方法により製造されうる。ミッドソール１０は、別々に成形された低硬度部１８と高硬度部２０とを接着剤等により接合して製造されうる。
【００４７】
図１０は、本発明の他の実施形態に係るゴルフ靴のミッドソール４０が示された平面図である。図１０は、ミッドソール４０の上面を示す。前述したミッドソール１０と同様に、ミッドソール４０は、左足用である。ミッドソール４０は、低硬度部４２と、高硬度部４４とを有する。
【００４８】
低硬度部の輪郭形状を除き、ミッドソール４０の構造は、ミッドソール１０と同じである。ミッドソール４０の低硬度部４２は、２個である。１つの低硬度部４２が、複数の台座上ミッド部に属している。前述したゴルフ靴２におけるミッドソール１０を、このミッドソール４０と置換して得られるゴルフ靴においても、全ての台座部材１６に関し、Ｖｆ＞Ｖｎとなっている。このように、低硬度部の形状は、特に限定されない。低硬度部の個数は、台座部材の個数と関係なく決定されうる。
【００４９】
靴を安定させるには、スパイクピンが靴底の外縁に近い方が有利である。滑りにくさ及び安定性を向上させる観点から、面積重心ｃ１から靴底外縁までの距離Ｄは、２５ｍｍ以下が好ましく、２０ｍｍ以下がより好ましく、１８ｍｍ以下が更に好ましい。スパイクピンが靴底の外縁に近すぎると、靴底の外縁部に過度の力が作用し、接着不良が起こりやすくなる。靴の耐久性を向上させる観点から、面積重心ｃ１から靴底外縁までの距離Ｄは、１２ｍｍ以上が好ましく、１３ｍｍ以上が好ましく、１４ｍｍ以上が好ましい。複数のスパイクピンの全てにおいて、上記距離Ｄが好ましい範囲となるのがより好ましい。
【実施例】
【００５０】
以下、実施例によって本発明の効果が明らかにされるが、この実施例の記載に基づいて本発明が限定的に解釈されるべきではない。
【００５１】
以下の説明を容易とするため、前述した第一実施形態における８つの低硬度部１８のそれぞれに、次の符合を付する。第一位置Ｎ１に係る低硬度部１８が低硬度部ｎ１とされ、第二位置Ｎ２に係る低硬度部１８が低硬度部ｎ２とされ、以下同様に、低硬度部ｎ３、低硬度部ｎ４、・・・、低硬度部ｎ８とされる（図４及び図５参照）。
【００５２】
［実施例１］
低硬度部ｎ３以外の低硬度部が設けられない他は上記ミッドソール１０と同様にして、図４及び図５に示されたミッドソールを作成した。換言すれば、低硬度部ｎ１、低硬度部ｎ２、低硬度部ｎ４、低硬度部ｎ５、低硬度部ｎ６、低硬度部ｎ７及び低硬度部ｎ８が高硬度部に置換された他は、上記ミッドソール１０と同様にして、図４及び図５に示された形状のミッドソールを作成した。低硬度部の硬度ＨＬは４０とされ、高硬度部の硬度ＨＨは７０とされた。このミッドソールに、前述したアウトソール１２と同様のアウトソールを取り付け、更にインソール及びアッパーを取り付けて、実施例１のゴルフ靴を得た。実施例１では、上記割合αは、約１３％である。この割合αは、（１／８）×１００で計算される。低硬度部が設けられた箇所において、離間側ミッド部における低硬度体積率Ｖｆは５０％であり、近接側ミッド部における低硬度体積率Ｖｎは０％である。実施例１の仕様と評価結果が、下記の表１で示される。
【００５３】
［実施例２］
低硬度部ｎ２及び低硬度部ｎ３以外の低硬度部が設けられない他は上記ミッドソール１０と同様にして、図４及び図５に示されたミッドソールを作成した。換言すれば、低硬度部ｎ１、低硬度部ｎ４、低硬度部ｎ５、低硬度部ｎ６、低硬度部ｎ７及び低硬度部ｎ８が高硬度部に置換された他は、上記ミッドソール１０と同様にして、図４及び図５に示された形状のミッドソールを作成した。低硬度部の硬度ＨＬは４０とされ、高硬度部の硬度ＨＨは７０とされた。このミッドソールに、前述したアウトソール１２と同様のアウトソールを取り付け、更にインソール及びアッパーを取り付けて、実施例２のゴルフ靴を得た。実施例２では、上記割合αは、２５％である。この割合αは、（２／８）×１００で計算される。低硬度部が設けられた箇所において、離間側ミッド部における低硬度体積率Ｖｆは５０％であり、近接側ミッド部における低硬度体積率Ｖｎは０％である。実施例２の仕様と評価結果が、下記の表１で示される。
【００５４】
［実施例３］
低硬度部ｎ２、低硬度部ｎ３、低硬度部ｎ６及び低硬度部ｎ７以外の低硬度部が設けられない他は上記ミッドソール１０と同様にして、図４及び図５に示された形状のミッドソールを作成した。換言すれば、低硬度部ｎ１、低硬度部ｎ４、低硬度部ｎ５及び低硬度部ｎ８が高硬度部に置換された他は、上記ミッドソール１０と同様にして、図４及び図５に示された形状のミッドソールを作成した。低硬度部の硬度ＨＬは４０とされ、高硬度部の硬度ＨＨは７０とされた。このミッドソールに、前述したアウトソール１２と同様のアウトソールを取り付け、更にインソール及びアッパーを取り付けて、実施例３のゴルフ靴を得た。実施例３では、上記割合αは、５０％である。この割合αは、（４／８）×１００で計算される。低硬度部が設けられた箇所において、離間側ミッド部における低硬度体積率Ｖｆは５０％であり、近接側ミッド部における低硬度体積率Ｖｎは０％である。実施例３の仕様と評価結果が、下記の表１で示される。
【００５５】
［実施例４］
上記ミッドソール１０と同様にして、図４及び図５に示されたミッドソールを作成した。このミッドソールは、ミッドソール１０と同様、低硬度部ｎ１、低硬度部ｎ２、低硬度部ｎ３、低硬度部ｎ４、低硬度部ｎ５、低硬度部ｎ６、低硬度部ｎ７及び低硬度部ｎ８を備えている。低硬度部の硬度ＨＬは４０とされ、高硬度部の硬度ＨＨは７０とされた。このミッドソールに、前述したアウトソール１２と同様のアウトソールを取り付け、更にインソール及びアッパーを取り付けて、実施例２のゴルフ靴を得た。実施例２では、上記割合αは、１００％である。この割合αは、（８／８）×１００で計算される。低硬度部が設けられた箇所において、離間側ミッド部における低硬度体積率Ｖｆは５０％であり、近接側ミッド部における低硬度体積率Ｖｎは０％である。実施例４の仕様と評価結果が、下記の表１で示される。
【００５６】
［実施例５から７］
低硬度体積率Ｖｆが表１で示される値とされた以外は実施例４と同様にして、実施例５から７のゴルフ靴を得た。低硬度体積率Ｖｆの調整は、低硬度部の厚みを変化させることにより達成された。低硬度部の配設位置、低硬度部の硬度及び高硬度部の硬度は、実施例４と同様とされた。実施例５から７の仕様と評価結果が、下記の表１で示される。
【００５７】
［比較例］
全ての低硬度部が高硬度部に置換された他は実施例４と同様にして、比較例のゴルフ靴を得た。比較例のミッドソールは、低硬度部を有さない。比較例のミッドソールは、高硬度部のみからなる。比較例の仕様と評価結果が、下記の表１で示される。
【００５８】
［打撃テスト］
ゴルフ靴をゴルファーに着用させ、ドライバーでゴルフボールを１０回打撃させた。そして、飛距離、飛距離ばらつき及び打球方向ばらつきを測定した。１０名のゴルファーによりテストを行った。飛距離は、１０名のテスターによる合計１００回の打撃の平均値である。飛距離ばらつきは、１人のテスターの１０回の打撃のうちの最小値と最大値との差をこのテスターのデータとし、１０名分のデータを平均した値である。打球方向ばらつきは、１人のテスターの１０回の打撃のうち最も左側の打球と最も右側の打球との左右方向距離をこのテスターのデータとし、１０名分のデータを平均した値である。これらの結果が、下記の表１に示されている。
【００５９】
【表１】
2008131998.tif 000003
【００６０】
表１から明らかなように、実施例のゴルフ靴により、大きな飛距離が得られる。実施例のゴルフ靴は、飛距離及び打球方向の安定に寄与する。この評価結果から、本発明の優位性は明らかである。
【産業上の利用可能性】
【００６１】
本発明に係る靴は、ゴルフ以外の種々のスポーツにも適している。
【図面の簡単な説明】
【００６２】
【図１】図１は、本発明の一実施形態に係るゴルフ靴が示された一部切り欠き側面図である。
【図２】図２は、図１のゴルフ靴の接地面が示された平面図である。
【図３】図３は、図１のゴルフ靴のアウトソールの上面が示された平面図である。
【図４】図４は、図１のゴルフ靴のミッドソールの下面が示された平面図である。
【図５】図５は、図１のゴルフ靴のミッドソールの上面が示された平面図である。
【図６】図６は、図２のVI−VI線に沿った拡大断面図である。
【図７】図７は、図６から台座上ミッド部のみを抽出した断面図である。
【図８】図８は、近接側ミッド部及び離間側ミッド部を説明するための図である。
【図９】図９は、第一領域から第六領域を説明するための図である。
【図１０】図１０は、本発明の他の実施形態に係るゴルフ靴のミッドソールが示された平面図である。
【符号の説明】
【００６３】
２・・・ゴルフ靴
４・・・アッパー
６・・・底部
８・・・インソール
１０・・・ミッドソール
１２・・・アウトソール
１４・・・突起
１６・・・台座部材
１７・・・スパイクピン
１８・・・低硬度部
２０・・・高硬度部
２８・・・台座上ミッド部
３２・・・近接側ミッド部
３４・・・離間側ミッド部
ｐ・・・区画面
Ａ・・・長さ線
ｃ１・・・スパイクピンの面積重心
【図１】
2008131998.tif 000004
【図２】
2008131998.tif 000005
【図３】
2008131998.tif 000006
【図４】
2008131998.tif 000007
【図５】
2008131998.tif 000008
【図６】
2008131998.tif 000009
【図７】
2008131998.tif 000010
【図８】
2008131998.tif 000011
【図９】
2008131998.tif 000012
【図１０】
2008131998.tif 000013